(57)【要約】      （修正有）【課題】周波数に依存して入力信号の雑音を抑圧するための方法を提供する。【解決手段】本発明は、周波数に依存して入力信号の雑音を抑圧するための方法に関し、入力信号が主信号経路と副信号経路に分割され、入力信号がフィルタバンクによって、それぞれ所定の帯域幅Ｗおよび中間周波数ｆ１〜ｆ７の複数の周波数帯域Ｂ１〜Ｂ７に分解され、副信号経路において各周波数帯域Ｂ１〜Ｂ７で信号成分の帯域幅Ｗが減少させられ、その際それぞれ１つの減少した周波数帯域Ｂｒ１〜Ｂｒ７が形成され、減少した各周波数帯域Ｂｒ１〜Ｂｒ７において入力信号の信号成分に基づいて抑圧パラメータＲ１〜Ｒ７が求められ、主信号経路において各周波数帯域Ｂ１〜Ｂ７で入力信号内の雑音がそれぞれの抑圧パラメータＲ１〜Ｒ７に基づいて抑圧される。【選択図】図４
2016171567.tif 000002
【特許請求の範囲】
【請求項１】
周波数に依存して入力信号（２）の雑音を抑圧するための方法（２０）であって、
前記入力信号（２）が主信号経路（６）と副信号経路（８）に分割され、
前記入力信号（２）がフィルタバンク（４）によって、それぞれ所定の帯域幅（Ｗ）および中間周波数（ｆ１〜ｆ７）の複数の周波数帯域（Ｂ１〜Ｂ７）に分解され、
前記副信号経路（８）において各前記周波数帯域（Ｂ１〜Ｂ７）で信号成分の前記帯域幅（Ｗ）が減少させられ、その際それぞれ１つの減少した周波数帯域（Ｂｒ１〜Ｂｒ７）が形成され、
各前記減少した周波数帯域（Ｂｒ１〜Ｂｒ７）において前記入力信号（２）の前記信号成分に基づいて抑圧パラメータ（Ｒ１〜Ｒ７）が求められ、
前記主信号経路（６）において各前記周波数帯域（Ｂ１〜Ｂ７）で前記入力信号（２）内の雑音（１２）がそれぞれの前記抑圧パラメータ（Ｒ１〜Ｒ７）に基づいて抑圧されることを特徴とする上記方法（２０）。
【請求項２】
各前記減少した周波数帯域（Ｂｒ１〜Ｂｒ７）において、前記減少した帯域幅（Ｗｒ）それぞれの信号成分の１つのレベルを使用して、前記抑圧パラメータ（Ｒ１〜Ｒ７、Ｒｊ）を求めることを特徴とする請求項１に記載の方法（２０）。
【請求項３】
前記入力信号（２）が少なくとも前記副信号経路（８）についてデジタル化されることを特徴とする請求項１または２に記載の方法（２０）。
【請求項４】
前記副信号経路（８）において各前記周波数帯域（Ｂｒ１〜Ｂｒ７）で、前記信号成分の前記帯域幅（Ｗ）がフィルタ（２２）によって減少させられることを特徴とする請求項１〜３のいずれか一項に記載の方法（２０）。
【請求項５】
前記副信号経路（８）において各前記周波数帯域（Ｂ１〜Ｂ７）について前記中間周波数（ｆ１〜ｆ７）がゼロにシフトされ、続いて前記信号成分の前記帯域幅（Ｗ）が低域フィルタ（２２）によって減少させられることを特徴とする請求項４に記載の方法（２０）。
【請求項６】
指向性マイクロホン（３２）によって前記入力信号（２）が感知され、
前記入力信号（２）において前記抑圧パラメータ（Ｒ１〜Ｒ７）に基づき、前記指向性マイクロホン（３２）の指向特性（３６）を周波数に依存して適応させることによって前記雑音（１２）が抑圧されることを特徴とする請求項１〜５のいずれか一項に記載の方法（２０）。
【請求項７】
前記指向性マイクロホン（３２）によって多チャネル入力信号（２）が記録され、
前記入力信号（２）が各チャネルにおいてフィルタバンク（４）によって複数の前記周波数帯域（Ｂ１〜Ｂ７）に分解され、
各チャネルについて各前記周波数帯域（Ｂ１〜Ｂ７）のための１つの抑圧パラメータ（Ｒ１〜Ｒ７）がそれぞれ前記減少した周波数帯域（Ｂｒ１〜Ｂｒ７）によって求められ、
各前記周波数帯域（Ｂ１〜Ｂ７）について前記指向特性（３６）がすべてのチャネルの信号成分からその都度の抑圧パラメータ（Ｒ１〜Ｒ７）に依存して適応させられることを特徴とする請求項６に記載の方法（２０）。
【請求項８】
入力信号（２）を感知するための少なくとも１個のマイクロホン（３２ａ、３２ｂ）と、請求項１〜７のいずれか一項に記載の方法（２０）を実施するように形成された信号処理ユニット（３４）を含む補聴器（３０）。
【発明の詳細な説明】
【技術分野】
【０００１】
本発明は、入力信号がそれぞれ所定の帯域幅および中間周波数の複数の周波数帯域に分解され、各周波数帯域において入力信号の信号成分に基づいて抑圧パラメータが求められ、各周波数帯域において入力信号内の雑音がそれぞれの抑圧パラメータに基づいて抑圧される、周波数に依存して入力信号の雑音を抑圧するための方法に関する。
【背景技術】
【０００２】
補聴器において、利用者の置かれた実際の聴取状況に応じて、利用者の聴取の質を改善するために、補聴器のマイクロホンによって拾われる入力信号の雑音抑圧を行う要求が発生し得る。利用者はしばしば、例えば広帯域の雑音の存在によって有効信号の本来の所望な聞き取りが困難になる聴取状況に置かれる。この場合特に、有効信号は比較的に狭帯域の周波数スペクトルを有し、そして空間的に明確に定めることができる音源から出る。一方、雑音は異なる周波数スペクトルと異なる相対位置を有する複数の音源の重畳によって、利用者に関して明確に定められない空間方向に関連づけられる。
【０００３】
補聴器における技術的な挑戦は、入力信号内の雑音のレベルをできるだけ大きく低下させて雑音を抑圧し一方、有効信号のレベルはこの低下をできるだけ受けないようにすべきである、すなわちＳＮ比が改善されるようにすべきであることに存する。この場合、補聴器自体では、必要な信号処理のための装置に供される構造スペースが制限されている。
【０００４】
狭帯域の有効信号に広帯域の雑音が重畳され、雑音を抑圧すべきである上述の聴取状況では、しばしば周波数帯域に依存する増幅率または減少率が入力信号に適用される。この場合、入力信号は先ずフィルタバンクを通過し、このフィルタバンクによって、それぞれ所定の帯域幅および中間周波数の複数の周波数帯域に分解される。この場合、周波数帯域は部分的にオーバーラップする。個々の各周波数帯域について、周波数帯域内の信号成分のレベルに基づいて、それぞれ１つの減少率が求められ、個々の周波数帯域内の入力信号のレベルがそれぞれの減少率に基づいて低下または上昇させられる。これによって、有効信号が存在せず、雑音だけが存在する周波数帯域において、信号レベルが有効信号と比較して低下させられる。有効信号の高いスペクトル成分が存在すべきである周波数帯域では、レベルの低下が小さいかまたは信号レベルが強く上昇させられる。これによって全体として、ＳＮ比が改善される。
【０００５】
しかしながら、それぞれ隣接する周波数帯域のオーバーラップに基づいて、主要なスペクトル成分が主として所定の周波数帯域に集中する狭帯域の有効信号が、オーバーラップによって、隣接する周波数帯域内の比較的大きな信号レベルになることがしばしば起こる。これによって、隣接する周波数帯域では、信号レベルを低下させるための減少率が影響を受ける。その結果、当該の隣接する周波数帯域は、減少率のこの影響によって、小さな雑音抑圧を生じる。これにより、有効信号のスペクトル環境においてＳＮ比が悪化することになる。
【発明の概要】
【発明が解決しようとする課題】
【０００６】
本発明の根底をなす課題は、狭帯域の有効信号が雑音の抑圧によってできるだけ影響を受けず、特に有効信号近くの周波数帯域においてできるだけ良好なＳＮ比を可能にする、入力信号の雑音を抑圧するための方法を提供することである。
【課題を解決するための手段】
【０００７】
上記課題は本発明に従い、入力信号が主信号経路と副信号経路に分割され、入力信号がフィルタバンクによって、それぞれ所定の帯域幅および中間周波数の複数の周波数帯域に分解され、副信号経路において各周波数帯域で信号成分の帯域幅が減少させられ、その際それぞれ１つの減少した周波数帯域が形成され、減少した各周波数帯域において入力信号の信号成分に基づいて抑圧パラメータが求められ、主信号経路において各周波数帯域で入力信号内の雑音がそれぞれの抑圧パラメータに基づいて抑圧される、周波数に依存して入力信号の雑音を抑圧するための方法によって解決される。有利で一部がそれ自体で見て発明的である本発明の実施形が、従属請求項と次の記載に述べられている。
【０００８】
この場合特に、個々の周波数帯域がそれぞれ、中間周波数を取り囲む通過周波数帯を有する振幅特性を有している。この通過周波数帯は中間周波数に対する間隔が増大することによって遮断周波数帯に移行している。この場合、周波数帯域の遮断周波数帯では、比較的大きな信号成分は示されない。この場合特に、複数の周波数帯域の振幅特性はそれぞれの遮断周波数帯の外側で比較的大きなオーバーラップを有し、そしてその際特に中間周波数が直接隣接しないで他の中間周波数によって離隔されている周波数帯域の振幅特性も、それぞれの遮断周波数帯の外側で比較的大きなオーバーラップを有する。
【０００９】
この場合、抑圧パラメータは特に減少率によって与えられる。その際、それぞれの減少率に基づく、入力信号の雑音の周波数帯域的な抑圧は、例えば減少率に従って各周波数帯域内の信号レベルの適当な低下によって行われる。同様に、各周波数帯域の信号を減少率に依存して増幅するかまたは信号レベルを上昇することができる。各周波数帯域の帯域幅の減少の際、中間周波数と中間周波数での周波数応答が引き続き得られると有利である。
【００１０】
特に、入力信号は先ず主信号経路と副信号経路に分割され、続いてそれぞれ１つのフィルタバンクによって複数の周波数帯域に分解される。この場合、主信号経路と副信号経路の周波数帯域はそれぞれ同じ帯域幅と中間周波数を有する。主信号経路と副信号経路に分割するために、入力信号を特に二重にすることができる。同様に、入力信号を先ずフィルタバンクを通過させ、続いて主信号経路と副信号経路に分割することができる。
【００１１】
この場合、本発明は次の考察に基づいている。周波数に依存して入力信号の雑音を抑圧するための方法の基本的な問題は、入力信号を好ましくは個々の周波数帯域でろ波すべきであることにある。その際、周波数帯域はできるだけ歪みなしに入力信号を分解すべきである。その際、隣接する周波数帯域は少なくともそのそれぞれの通過周波数帯のエッジに、無視できないオーバーラップを有する。このオーバーラップは特にそれぞれの周波数帯域の帯域幅に依存する。例えば入力信号が若干の少ない広帯域の周波数帯域に分解されると、その振幅特性は通過周波数帯のそれぞれのエッジに、明確なオーバーラップを有する。すなわち、個々の周波数の場合に、その都度複数の周波数帯域の周波数応答が比較的大きなレベル値を有する。
【００１２】
しかしながら、それぞれ隣接する周波数帯域のこのオーバーラップによって、狭帯域の有効信号が隣接する周波数帯域においても重要な信号成分を有し、それに応じたレベルを生じる。それによって、抑圧パラメータが隣接する周波数帯域で影響を受ける。これは雑音抑圧、従ってＳＮ比を損なう。これに対して、狭帯域のフィルタの周波数帯域の振幅特性は通常その都度、それぞれの通過周波数帯から遮断周波数帯への急勾配の移行部を有する。それによって、隣接する周波数帯域のオーバーラップも小さい。
【００１３】
しかし、隣接する周波数帯域の抑圧パラメータの上記の悪影響を小さくするために、ろ波の個々の周波数帯域を任意に狭帯域に形成することはできない。なぜなら、周波数空間でフィルタの帯域幅を小さくするためには、入力信号の長い信号遅延時間が必要であるからである。しかし、これは特に、できるだけ短い遅延で実施すべきである用途、例えば聴取補助器の場合には不所望である。この聴取補助器では、受信、処理および再生される音響信号は、使用者の視覚的な印象のためにできるだけ短い遅延を有するようにすべきである。従って、フィルタバンクの作用に関しては、雑音抑圧のための方法について、フィルタバンクの所望な分解と許容される待ち時間の間のトレードオフを決定すべきである。
【００１４】
それによって、フィルタバンクの個々の周波数帯域の帯域幅を任意に減少することができないので、その都度隣接する周波数帯域の間のオーバーラップは下方に向かって制限されている。従って、狭帯域の有効信号のスペクトル環境での雑音抑圧の改善は現在のところ、フィルタバンクの個々の周波数帯域の帯域幅の縮小を越えて達成することはできない。
【００１５】
個々の周波数帯域は、出力信号の周波数帯域のその都度の信号成分が入力信号を模写するように、全スペクトルからなっている。従って、個々の周波数帯域の信号成分の新たなろ波は、終了信号の歪みを生じることになり得る。なぜなら、これによって入力信号のスペクトル成分の任意の歪みおよび／または減衰が起こり得るからである。従って、狭帯域の有効信号が隣接する周波数帯域の雑音抑圧に及ぼす影響は、出力信号を形成する周波数帯域の信号成分の直接的なろ波を介して達成することはできない。
【００１６】
本発明にとって重要な驚くべき認識は、出力信号を形成する周波数帯域の信号成分をろ波することまたはその帯域幅を減少することではなく、個々の周波数帯域において、周波数帯域に依存して雑音抑圧を行う基礎となる減少率の計算のためにのみ帯域幅を減少することである。このようにして計算された抑圧パラメータに基づいて、各周波数帯域において、入力信号の雑音を抑圧することができ、それによって個々の周波数帯域の信号成分のそれぞれのスペクトル情報が出力信号について引き続き得られる。
【００１７】
このやり方は次の利点を有する。周波数帯域の帯域幅および／または通過周波数帯の減少は、抑圧パラメータの計算の前に、隣接する周波数帯域のオーバーラップおよび／またはクロストークを縮小する。それによって、抑圧パラメータを求める基礎となる入力信号の信号成分は主に所望な周波数帯域でのみ検出される。主信号経路においてこのようにして求めた各周波数帯域の減少率に基づいて、入力信号の雑音が抑圧されると、狭帯域の有効信号による、隣接する周波数帯域の抑圧パラメータの影響がきわめて小さくなり、それによってＳＮ比が改善される。個々の周波数帯域の帯域幅の他のろ波または減少が、抑圧パラメータの計算のためにのみ行われ、最終の信号を出力するためには行われないことにより、各周波数帯域においてそれぞれの信号成分のスペクトル情報が引き続き得られる。それによって、出力信号の歪みを阻止することができる。
【００１８】
基本的には、或る数の減少した周波数帯域において、減少した帯域幅それぞれについて、信号成分の１つのレベルを使用して減少率を求めることが望ましい。特に、有効信号が１つまたは少数の減少した周波数帯域内に落下する複数の狭帯域の信号ピークを有するときには、積分されたレベルによって決定される減少率は、減少した周波数帯域内の有効信号の実際のスペクトル特性、特にスペクトル密度を細部にわたって忠実に示すことができる。
【００１９】
入力信号が少なくとも副信号経路についてデジタル化されると有利であることがわかった。その際、主信号経路についても入力信号をデジタル化することができる。帯域幅の減少と減少率の決定は、デジタル化した入力信号できわめて効率的に行うことができる。というのはそのために、信号路内のＡＤコンバータと場合によっては雑音抑圧した出力信号の再変換のためのＤＡコンバータのほかに、他のハードウェアを必要としないからである。これにより、例えば補聴器の場合のように、ハードウェアのための構造スペースが制限されている機器においても、方法を適用することができる。
【００２０】
副信号経路において各周波数帯域で、信号成分の帯域幅がフィルタによって減少させられると合目的である。フィルタの使用によって、帯域幅を時間的にきわめて効率的に減少させることができる。
【００２１】
副信号経路において各周波数帯域について中間周波数がゼロにシフトされ、続いて信号成分の帯域幅が低域フィルタによって減少させられるとさらに有利であることがわかった。ゼロへの中間周波数のシフトにより、すべての周波数帯域の帯域幅を同じ方法で減少させることができる。これは、帯域幅の減少の実施を簡単にする。副信号経路において減少した周波数帯域からそれぞれの減少率だけが求められるときには、元の値への中間周波数の新たな適合を行わなくてもよい。一般的に、フィルタバンクは複数の帯域フィルタによって形成可能である。この場合、帯域フィルタはそれぞれ、フィルタバンクのそれぞれのチャネルに依存する相と乗算された低域フィルタによって実施可能である。その際、帯域幅の減少は他の低域フィルタの適用によって行うことができる。
【００２２】
本発明の他の有利な実施形では、指向性マイクロホンによって入力信号が感知され、入力信号において抑圧パラメータに基づき、指向性マイクロホンの指向特性を周波数に依存して適応させることによって雑音が抑圧される。指向性マイクロホンの場合、周波数に依存する雑音の抑圧は、音が到達する空間方向に依存して行っても所望される。上記の方法は、指向性マイクロホンの有利な指向特性をできるだけ維持する効率的な雑音抑圧を可能にする。抑圧パラメータは特に、個々の周波数帯域の指向パラメータまたは指向特性を決定するために使用することができる。
【００２３】
この場合、指向性マイクロホンによって多チャネル入力信号が記録され、入力信号が各チャネルにおいてフィルタバンクによって複数の周波数帯域に分解され、各チャネルについて各周波数帯域のためのそれぞれ１つの抑圧パラメータが適当に減少させられた周波数帯域によって求められ、各周波数帯域について指向特性がすべてのチャネルの信号成分からその都度の抑圧パラメータに依存して適応させられることが望ましい。その際特に、差動形指向性マイクロホンを使用することができる。
【００２４】
差動形指向性マイクロホンはほとんど全指向性の２個以上のマイクロホンを備えている。このマイクロホンの信号はその都度最小の時間遅延で重畳され、その際この時間遅延によって、所定の空間方向から来る音が個々のマイクロホンに当たってこのマイクロホンによって記録される実際の時間遅延を補正することができるように重畳される。これにより、然るべき空間方向からの音は指向性マイクロホンの出力信号で抑圧される。その際、抑圧または感知の空間的な依存性は、指向特性と呼ばれる。これは周波数に依存して変化し得る。
【００２５】
所定の空間方向からの音を、周波数に依存して指向特性によって抑圧するときには、他の空間方向からの狭帯域の音信号により、音信号の周囲の周波数帯域内で指向特性が音信号に適応させられ、それによって所望な抑圧が変化する。上記の方法により、他の周波数帯域内の抑圧すべき空間方向とは異なる空間方向からのこのような狭帯域の音の影響を小さくすることができる。
【００２６】
本発明はさらに、入力信号を感知するための少なくとも１個のマイクロホンと、上記方法を実施するように形成された信号処理ユニットを含む補聴器、特に聴取補助器に関する。方法とその発展形態について説明した利点は同様に補聴器に適用される。
【００２７】
次に、図に基づいて本発明の実施の形態を詳しく説明する。
【図面の簡単な説明】
【００２８】
【図１】従来技術に係る、周波数に依存して入力信号の雑音を抑圧するための方法をブロック図で示す。
【図２】周波数空間内での図１の方法の減少率の決定を示す。
【図３】周波数に依存して入力信号の雑音を抑圧するための方法をブロック図で示す。
【図４】周波数空間内での図３の方法の減少率の決定を示す。
【図５】信号処理ユニットを備えた聴取補助器を示す。
【発明を実施するための形態】
【００２９】
すべての図において、互いに一致する部分および量にはそれぞれ同じ参照符号が付けてある。
【００３０】
図１には、従来技術に係る、周波数に依存して雑音を抑圧するための方法１がブロック図で示してある。入力信号２はフィルタバンク４によって、詳しく示していないいろいろな周波数帯域に分解される。入力信号２は続いて、主信号経路６と副信号経路８に分割される。副信号経路８では、個々の周波数帯域の各々について、それぞれの信号成分に基づき減少率Ｒｊの形の抑圧パラメータが求められる。主信号経路６では、各周波数帯域において、減少率Ｒｊに基づきそれぞれの信号レベルが低下または上昇させられる。それによって、入力信号２内の雑音が周波数に依存して抑圧される。
【００３１】
図１に基づいて説明した方法１の作用が図２において周波数空間に示してある。この場合、周波数ｆに依存して表現された入力信号２は、外部の狭帯域の有効信号１０と広帯域の基本雑音１２によって形成されている。この場合、有効信号１０の信号レベルＳｐは雑音１２よりもはるかに高い。ここで、フィルタバンク４の作用は、それぞれの周波数帯域Ｂ１〜Ｂ７の振幅特性Ｔｐ１〜Ｔｐ７に基づいて示してある。有効信号１０は本例ではちょうど周波数帯域Ｂ３の中間周波数ｆ３上にあるが、隣接する周波数帯域Ｂ２とＢ４に含まれている。減少率Ｒ１〜Ｒ７を求めるためにその都度、個々の周波数帯域Ｂ１〜Ｂ７の各々について、それぞれの周波数帯域の振幅特性Ｔｐ１〜Ｔｐ７内で発生する信号レベルＭ１〜Ｍ７が求められる。抑圧のためのスタート値１４からレベルＭ１〜Ｍ７を減算することによって、減少率Ｒ１〜Ｒ７がそれぞれの周波数帯域のレベルＭ１〜Ｍ７から求められる。
【００３２】
図３には、周波数に依存して入力信号２の雑音を抑圧するための方法２０の経過がブロック図で示してある。入力信号２はフィルタバンク４によって複数の周波数帯域Ｂ１〜Ｂ７に分解され、続いて主信号経路６と副信号経路８に分割される。副信号経路８では、個々の周波数帯域Ｂ１〜Ｂ７がそれぞれフィルタ２２によってその帯域幅を狭められるので、これによってそれぞれ狭められた周波数帯域Ｂｒ１〜Ｂｒ７が形成される。副信号経路８の狭められた各周波数帯域Ｂｒ１〜Ｂｒ７において、入力信号２のそれぞれの信号成分に基づいて抑圧パラメータが減少率Ｒ１〜Ｒ７の形で求められ、そして主信号経路６では、各周波数帯域Ｂ１〜Ｂ７において、副信号経路８で求めたそれぞれの減少率Ｒ１〜Ｒ７に基づいて信号レベルが低下または上昇させられる。それによって、入力信号２の雑音を周波数に依存して抑圧することができる。
【００３３】
図３に示した方法２０の作用は、図４に基づいて明らかになる。ここでは、広帯域の雑音１２を重畳した狭帯域の有効信号１０によって形成される入力信号２の信号レベルＳｐが、周波数ｆに対して表現されている。フィルタバンク４は入力信号２を、それぞれ異なる中間周波数ｆ１〜ｆ７および同じ帯域幅Ｗの個々の周波数帯域Ｂ１〜Ｂ７に分解する。この場合、有効信号１０は最初は周波数帯域Ｂ２〜Ｂ４に含まれているが、異なる振幅特性Ｔｐ２〜Ｔｐ４に基づいて有効信号１０の周波数の場合個々の周波数帯域Ｂ２〜Ｂ４について異なる信号レベルＳｐを有する。副信号経路８ではフィルタ２２によって、各周波数帯域Ｂ１〜Ｂ７における帯域幅Ｗの更なる減少が行われる。その際、帯域幅は各周波数帯域においてＷｒに減少させられ、それによって元の周波数帯域Ｂ１〜Ｂ７のそれぞれ同じ中間周波数ｆ１〜ｆ７を有するその都度減少した周波数帯域Ｂｒ１〜Ｂｒ７が形成される。
【００３４】
周波数帯域Ｂ１〜Ｂ７の帯域幅Ｗのこの減少によって、有効信号１０は減少した周波数帯域Ｂｒ３内に比較的大きな信号レベルＳｐを有して存在する。減少した各周波数Ｂｒ１〜Ｂｒ７においてその都度信号レベルＭ１〜Ｍ７が求められると、このレベルは減少した周波数帯域Ｂｒ３の外側で雑音１２によって決定される。特に、有効信号１０のスペクトル主成分を含む減少した周波数帯域Ｂｒ３に直接隣接する減少した周波数帯域Ｂｒ２、Ｂｒ４のレベルＭ２、Ｍ４は、有効信号１０によって影響を受けない。レベルＭ１〜Ｍ７によって形成された減少率Ｒ１〜Ｒ７に基づいて、それぞれの周波数帯域Ｂ１〜Ｂ７について主信号経路６内の入力信号２のレベルが減少させられるのであるが、この減少率は抑圧パラメータＲ３についてのみ、その他の同様な雑音抑圧から大きくずれている。
【００３５】
すなわち、有効信号１０を含む周波数帯域Ｂ３は縮小した減少率Ｒ３によって実質的に雑音抑圧から除外される。しかし、隣接する周波数帯域Ｂ２、Ｂ４は完全な雑音抑圧を受ける。すなわち、振幅特性Ｔｐ２、Ｔｐ４内の有効信号１０の信号成分は、有効信号１０の周囲の不十分な雑音抑圧につながる減少率Ｒ２、Ｒ４の低下をもたらさない。これによって、ＳＮ比は特に有効信号１０の周囲において改善される。
【００３６】
図５には、聴取補助器として形成された補聴器３０が概略的に示してある。この補聴器は指向性マイクロホン３２と、レシーバ３３と、信号処理ユニット３４を備えている。この場合、指向性マイクロホン３２は２チャネルの入力信号２を信号処理ユニット３４に送信する２個の全指向性マイクロホン３２ａ、３２ｂを備えている。信号処理ユニット３４は、複数の周波数帯域についてその都度１つの指向特性３６を求め、各周波数帯域について前述のようにして求めた抑圧パラメータに依存して指向特性を適合させるように形成され、それによって方向に依存して雑音を抑圧することができる。雑音を抑圧した出力信号は、場合によっては他の信号処理の後で、信号処理ユニット３４からレシーバ３３に伝送される。
【００３７】
本発明を好ましい実施の形態によって詳細に図示および説明したが、本発明はこの実施の形態に限定されない。専門家は、本発明の権利範囲を逸脱しないで、この実施の形態から他の変形を導き出すことができる。
【符号の説明】
【００３８】
２      入力信号
４      フィルタバンク
６      主信号経路
８      副信号経路
１２      雑音
２０      方法
Ｂ１〜Ｂ７      周波数帯域
Ｂｒ１〜Ｂｒ７      減少した周波数帯域
ｆ１〜ｆ７      中間周波数
Ｒ１〜Ｒ７      抑圧パラメータ
Ｗ      帯域幅
【図１】
2016171567.tif 000003
【図２】
2016171567.tif 000004
【図３】
2016171567.tif 000005
【図４】
2016171567.tif 000006
【図５】
2016171567.tif 000007